(57)【要約】【課題】筺体の外部から電圧・電流等測定相の切換作業を可能とし、かつ、店舗や公共施設における電光掲示板設置に伴う特別な配線作業を不要とした分電盤を提供すること。【解決手段】分電盤の筺体内部に収納された内部機器の電圧・電流等の測定を行う測定手段を筺体の内部に備え、該測定値を内部情報として表示するモニタ５を筺体の外表面に備える分電盤であって、該モニタ５の表示情報を、内部機器に関する内部情報または宣伝広告または公共情報の外部情報の何れかで選択的に切り替える表示情報切替え手段６を有する。【選択図】図１
2011217572.tif 000002
【特許請求の範囲】
【請求項１】
分電盤の筺体内部に収納された内部機器の電圧・電流等の測定を行う測定手段を筺体の内部に備え、
該測定値を内部情報として表示するモニタを筺体の外表面に備える分電盤であって、
該モニタの表示情報を、内部機器に関する内部情報または宣伝広告または公共情報の外部情報の何れかで選択的に切り替える表示情報切替え手段を有することを特徴とする分電盤。
【請求項２】
モニタの表示情報は、外部の情報送信手段から通信回線により送信された外部情報を直接的に表示することを特徴とする請求項１記載の分電盤。
【請求項３】
外部の情報送信手段から通信回線により送信された外部情報を記憶する該情報記憶手段を有し、モニタの表示情報は、該情報記憶手段から表示することを特徴とする請求項１記載の分電盤。
【請求項４】
表示情報切替え手段において切替え操作を行うユーザを認証するユーザ確認手段を備えることを特徴とする請求項１〜３の何れかにの分電盤。
【請求項５】
分電盤の筺体内にＡＥＤ装置収納用箱を搭載し、該分電盤の内部機器とＡＥＤ装置収納用箱内の電気機器を電気的に接続したことを特徴とする請求項１〜４の何れかに記載の分電盤。
【請求項６】
分電盤の筺体の外表面に宣伝広告または公共情報を表示するモニタを備え、筺体内にＡＥＤ装置収納用箱を搭載し、該分電盤の内部機器とＡＥＤ装置収納用箱内の電気機器を電気的に接続したことを特徴とする分電盤。
【請求項７】
モニタの表示情報は、外部の情報送信手段から通信回線により送信された外部情報を直接的に表示することを特徴とする請求項６記載の分電盤。
【請求項８】
外部の情報送信手段から通信回線により送信された外部情報を記憶する該情報記憶手段を有し、モニタの表示情報は、該情報記憶手段から表示することを特徴とする請求項６記載の分電盤。
【請求項９】
ＡＥＤ装置の使用時に、モニタの表示情報をＡＥＤ装置の操作案内に自動に切り換えることを特徴とする請求項５〜８の何れかに記載の分電盤。
【発明の詳細な説明】
【技術分野】
【０００１】
本発明は電気機器を収容した分電盤に関するものである。
【背景技術】
【０００２】
変圧器・電圧計・電流計・電力量計等の電気機器を収容した箱体に関し、箱体の前面開口部にあって、少なくとも変圧器を完全に覆う前扉の他に、覗き窓を有する小扉を設け、箱体内の電圧計・電流計・電力量計・測定相の切換スイッチ等を、該小扉に対面する位置に配置する構造が開示されている（特許文献１）。当該構造によれば、箱体内部に収容された電気機器への各種作業は前扉を開いて行うが、電圧計・電流計・電力量計等の計器の読み取りは、覗き窓を通じて外部から行い、測定相の切換スイッチを操作して行う電圧・電流等測定相の切換作業は、前扉を閉じたまま小扉のみを開いて行うことが可能となるため、内部機器の測定相の切換作業時に、高電圧の加わっている変圧器などの充電部に接触する危険性が回避され、計器の読み取り作業時の安全性を確保することができる。
【０００３】
しかし、特許文献１の電気機器を収容した筺体では、電圧・電流等測定相の切換作業の際、扉を開いて作業する必要があり、作業性が悪い問題があった。また、従来において分電盤などは屋内で奥まった箇所などに設置されており、違和感なく人目につく箇所に設置することはできなかった。
【先行技術文献】
【特許文献】
【０００４】
【特許文献１】特開平９−１６３５１８号公報
【発明の概要】
【発明が解決しようとする課題】
【０００５】
本発明の目的は前記問題を解決し、筺体の外部から電圧・電流等測定相の切換作業を可能とした分電盤で、どのような場所でも違和感なく設置することが可能な分電盤を提供することである。
【課題を解決するための手段】
【０００６】
上記課題を解決するためになされた本発明の分電盤は、分電盤の筺体内部に収納された内部機器の電圧・電流等の測定を行う測定手段を筺体の内部に備え、該測定値を内部情報として表示するモニタを筺体の外表面に備える分電盤であって、該モニタの表示情報を、内部機器に関する内部情報または宣伝広告または公共情報の外部情報の何れかで選択的に切り替える表示情報切替え手段を有することを特徴とするものである。
【０００７】
請求項２記載の発明は、請求項１記載の分電盤において、モニタの表示情報は、外部の情報送信手段から通信回線により送信された外部情報を直接的に表示することを特徴とするものである。
【０００８】
請求項３記載の発明は、外部の情報送信手段から通信回線により送信された外部情報を記憶する該情報記憶手段を有し、モニタの表示情報は、該情報記憶手段から表示することを特徴とするものである。
【０００９】
請求項４記載の発明は、請求項１〜３の何れかに記載の分電盤において、表示情報切替え手段において、切替え操作を行うユーザを認証するユーザ確認手段を備えることを特徴とするものである。
【００１０】
請求項５記載の発明は、請求項１〜４の何れかに記載の分電盤において、分電盤の筺体内にＡＥＤ装置収納用箱を搭載し、該分電盤の内部機器とＡＥＤ装置収納用箱の電気機器を電気的に接続したことを特徴とするものである。
【００１１】
請求項６記載の発明は、分電盤の筺体の外表面に宣伝広告または公共情報を表示するモニタを備え、筺体内にＡＥＤ装置収納用箱を搭載し、該分電盤の内部機器とＡＥＤ装置収納用箱の電気機器を電気的に接続したことを特徴とするものである。
【００１２】
請求項７記載の発明は、請求項６記載の分電盤において、モニタの表示情報は、外部の情報送信手段から通信回線により送信された外部情報を直接的に表示することを特徴とするものである。
【００１３】
請求項８記載の発明は、請求項６記載の分電盤において、外部の情報送信手段から通信回線により送信された外部情報を記憶する該情報記憶手段を有し、モニタの表示情報は、該情報記憶手段から表示することを特徴とするものである。
【００１４】
請求項９記載の発明は、請求項５から８の何れかに記載の分電盤において、ＡＥＤ装置の使用時に、モニタの表示情報をＡＥＤ装置の操作案内に自動に切り換えることを特徴とするものである。
【発明の効果】
【００１５】
本発明に係る分電盤は、分電盤の筺体内部に収納された内部機器の電圧・電流等の測定を行う測定手段を筺体の内部に備え、該測定値から内部情報として表示するモニタを筺体の外表面に備える分電盤であって、該モニタの表示情報を、内部機器に関する内部情報または宣伝広告または公共情報の外部情報の何れかで選択的に切り替える表示情報切替え手段を有するため、分電盤の扉を開閉することなく筺体の外部からモニタにおいて内部機器の電圧・電流等を測定することができる。
【００１６】
通常、分電盤は屋内外で奥まった人目につかない箇所に設置されているため、店舗や公共施設において、電光掲示板等による広告・公共情報提供等のサービスを行う場合、屋内外で奥まった箇所に設置されている分電盤から電光掲示板への配線が別途必要になり、不便であるという問題があったが、外部情報を、宣伝広告または公共情報とした請求項１記載の発明によれば、当該問題を解決することができる。
【００１７】
請求項２記載の発明は、モニタの表示情報は、外部の情報送信手段から通信回線により送信された外部情報を直接的に表示することができ、請求項３記載の発明は、外部の情報送信手段から通信回線により送信された外部情報を記憶する該情報記憶手段を有し、モニタの表示情報は、該情報記憶手段から表示するため、モニタの表示情報を情報送信手段から直接もしくは該情報記憶手段から変更することができるものである。
【００１８】
請求項４記載の発明は、表示情報切替え手段において、切替え操作を行うユーザを認証するユーザ確認手段を備えるため、正規ユーザ以外による内部情報への表示情報切替えを防止することができる。
【００１９】
請求項５及び請求項６記載の発明は、分電盤の筺体内にＡＥＤ装置収納用箱を搭載することにより、従来、屋内で奥まった箇所に設置されている分電盤を、違和感なく人目につく箇所に設置することを可能とした。また、分電盤の内部機器の主幹ブレーカや分岐ブレーカ等と該ＡＥＤ装置収納用箱の内部機器とを電気的に接続することができる為に、ＡＥＤ装置の設置に伴う特別な配線作業を不要となりモニタ・分電盤・ＡＥＤの入った電気機器収納用箱を一体に形成され設置場所の自由化、箱体が一体化できるために安価での製造をすることができる。
【００２０】
請求項７記載の発明は、外部の情報送信手段から通信回線により送信された外部情報を直接的に表示することができ、請求項８記載の発明は、外部の情報送信手段から通信回線により送信された外部情報を記憶する該情報記憶手段を有し、モニタの表示情報は、該情報記憶手段から表示するため、モニタの表示情報を情報送信手段から直接もしくは該情報記憶手段から変更することができるものである。
【００２１】
請求項９記載の発明は、ＡＥＤ装置の使用時に、モニタの表示情報をＡＥＤ装置の操作案内に自動に切り換えるため、ＡＥＤ装置の使用が必要な緊急時に、迷うことなく確実にＡＥＤ操作をすることができる。
【図面の簡単な説明】
【００２２】
【図１】本発明の一実施形態に係る分電盤の外観斜視図である。
【図２】分電盤に収納されるＡＥＤ装置の収納構造説明図である。
【図３】分電盤に収納されるＡＥＤ装置の収納構造説明図である。
【図４】本発明の分電盤におけるモニタ表示システムの概略図である。
【図５】本発明の分電盤における他案のモニタ表示システムの概略図である。
【図６】本発明の他の実施形態に係る分電盤の外観斜視図である。
【図７】本発明の他の実施形態に係る分電盤の外観斜視図である。
【発明を実施するための形態】
【００２３】
以下に本発明の好ましい実施形態を示す。
【００２４】
本実施形態に係る分電盤２０は、図１に示すように、屋内外に配置される自立型のものである。この分電盤２０は、図１及び図４に示すように、一次側と二次側とを電気的に接続し、その電気的な接続を遮断するための遮断手段を備えた主幹ブレーカ１や分岐ブレーカ２等の内部機器である複数のブレーカと、各ブレーカの電圧・電流等の測定を行う測定手段３を筺体の内部に備え、測定される電圧・電流等の測定相を切り替える測定相切替え手段４と、該測定値から判断される通電状態および遮断状態を内部情報として表示するモニタ５とを筺体の外表面に備え、該モニタ５の下にＡＥＤ装置１０ａを収納したＡＥＤ装置収納用箱１０が格納されている。更に、該モニタ５の表示情報を、各ブレーカの電圧・電流等の測定値に関する内部情報または外部情報、ＡＥＤ装置１０ａの情報の何れかで選択的に切り替える表示情報切替え手段６を備えている。モニタ５は、筺体の外表面に形成したモニタ５取付用の穴部８に嵌め込んで固定されている。
【００２５】
内部情報とは、分電盤２０内部に設置された内部機器である主幹ブレーカ１や分岐ブレーカ２や、図示しないトランスなどの内部機器の電圧・電流等の測定値、図示しない分電盤２０の外表面や天井、家屋の屋根などに設置される太陽電池に接続され発電情報を確認可能とした分電盤２０の筐体内に設置された集電装置の情報などである。外部情報とは、例えば、災害や震災情報、ニュースなどの公共の情報や、企業の広告、商品の宣伝などの宣伝広告である。ＡＥＤ装置１０ａの情報とは、ＡＥＤ装置１０ａのバッテリー充電情報やＡＥＤ装置１０ａの使用方法などである。図４に示すように、モニタ５と遠隔地など外部に設置されたパソコンなどの情報送信手段１５を無線もしくは有線の通信回線を用いて、該情報送信手段１５より送信された外部情報を直接的にモニタに表示するものである。また、ＡＥＤ装置１０ａの情報においても同様に通信回線を用いて直接的にモニタ５に表示できることは勿論である。また、図５に示すように、遠隔地など外部に設置された情報送信手段１５から通信回線を用いて送信された外部情報を、分電盤内に設置されたサーバやハードディスクなどの外部情報記憶手段１２に記憶する。そして、外部情報記憶手段１２に記憶した外部情報をモニタ５に表示することができる。同様に、ＡＥＤ装置１０aの情報においても、通信回線を用いて送信し、ＡＥＤ装置内のＡＥＤ情報記憶手段１１に記憶し、該ＡＥＤ情報記憶手段１１よりモニタ５に表示できることは勿論である。なお、内部機器の電圧・電流等を測定して得た内部情報は、内部情報記憶手段１３に記憶されており、通信回線によりモニタ５の表示情報として遠隔地など外部に設置された情報受信手段１６により取得することができる。各情報は、通信回線によりモニタ５の表示情報として送受信する他に、必要な場合にはメモリカードやパソコンなどの情報送信手段１５や情報受信手段１６を各々の情報記憶手段に接続して、情報を書き換えたり取得したりすることもできる。
【００２６】
モニタ５には、通常時はスポンサーとなる企業の情報などを表示しておき、電圧・電流等の測定の際には、作業者が自ら表示情報を内部情報に切り替えて作業を行うことができるように表示情報切替え手段を備えている。
【００２７】
表示情報切替え手段には、ユーザが携帯するリモコンや、ＩＤ入力、ＩＤカードの挿入、暗証番号、指紋認証などのユーザ確認手段を備えており、正規ユーザ以外による内部情報への表示切替えを防止している。ＡＥＤ装置１０ａの情報への切替えも同様にユーザ確認手段を備えていても良い。ただし、内部情報表示状態であっても、災害や震災などの緊急時には、外部情報表示に切り替わり、ＡＥＤ装置１０ａの使用時にはＡＥＤ装置１０ａの情報表示に切り替わり、災害情報、ＡＥＤ操作方法などを迅速に提供することができるシステムとしている。
【００２８】
モニタ５が内部情報表示画面となった場合、該画面を測定相切替え手段４として使用することもできる。この場合、ユーザ認証済みの正規ユーザがタッチパネル操作等の手段によって、筺体の外部から容易に電圧・電流等測定相の切換作業をすることができる。
【００２９】
分電盤２０の筺体の形状は特に限定されず、側板・扉・天面板の板で形成されたモノコック式や、フレームを形成しパネルにより箱体を形成するもの、側板の代わりに扉７を４面形成したもの等、いずれであってもよいが、本実施形態に係る分電盤２０では、ＡＥＤ装置収納用箱１０を、扉７から取り出し可能な構造で分電盤２０内部に収納するため、扉７部分にはＡＥＤ装置収納用箱１０の取付部用の穴部８を形成している。また、穴部８に限定されず、ＡＥＤ装置収納用箱１０と扉７を一体化形成するようなものであっても問題ない。
【００３０】
ＡＥＤ装置収納用箱１０の取付部用の穴部８には、図２に示すように、小扉１４を有するＡＥＤ装置収納用箱１０を嵌め込んで図示しない取付金具等で固定し、該ＡＥＤ装置収納用箱１０の箱体内にＡＥＤ装置を収納している。その他、図３に示すように、ＡＥＤ装置取付部を凹部９として形成し、該凹部に直接ＡＥＤ装置収納用箱１０を収納する構造としてもよい。
【００３１】
このように、分電盤の筺体にモニタ５やＡＥＤ装置を一体に備える構造とすると、モニタ５やＡＥＤ装置収納用箱１０内の電気機器の電源を、分電盤２０の分岐ブレーカ２の負荷側に接続した電線等から直接取ることができる。当該構造によれば、店舗や公共施設で電光掲示板やＡＥＤ装置をする際に従来必要であった配線系統を不要となり、美観や省スペースの観点から好ましい。なお、ＡＥＤ装置収納用箱１０の電気機器としては、ＡＥＤ装置収納用箱１０の小扉１４を開いた時に警報を発報させる警報装置や病院等に救急要請を発信する発信装置、ＡＥＤ情報記憶手段１１などがある。
【００３２】
ＡＥＤ装置１０ａは使用時に、ＡＥＤ装置収納用箱１０の小扉１４を開き取り出して使用されるが、小扉１４が開放されたことや、あるいはＡＥＤ装置が取り出されたことを検出するＡＥＤ使用検出手段を設けて、ＡＥＤ装置１０ａの使用開始を検出した際には、モニタ５にＡＥＤ装置１０ａの使用方法を自動表示したり、警報を発報させたり、救急要請をするシステムを採用することもできる。その他、表示情報切替え手段の手動操作によって、モニタ５にＡＥＤ装置１０ａの使用方法・充電情報を表示するシステムや、小扉１４が閉じられたことや、あるいはＡＥＤ装置１０ａがＡＥＤ装置収納用箱１０の内部に収納されたことを検出するＡＥＤ使用終了検出手段を設けて、ＡＥＤ装置の使用終了を検出した際には、モニタ５の表示を、公共の情報、宣伝広告等の外部情報に自動切り替えするシステムを採用することもできる。
【００３３】
モニタ５やＡＥＤ装置１０ａの配置位置および数は、本実施形態に限定されるものではなく分電盤２０の側板などにも取り付けても良いが、モニタ５の表示部は人目につきやすい位置に配置し、ＡＥＤ装置１０ａは必要時に取り出し操作しやすい位置に収納することが好ましい。モニタ５やＡＥＤ装置収納用箱１０の電気機器の電源は、分電盤２０の内部機器である主幹ブレーカ１や分岐ブレーカ２の負荷側に接続した電線から取ることができる。
【００３４】
各ブレーカの電圧・電流等の測定を行う測定手段３は分電盤２０の内部機器である主幹ブレーカ１や分岐ブレーカ２を取り付けた鉄製基板上に形成しても良いし、中扉などに別途取り付けても良い。測定手段３は主幹ブレーカ１や分岐ブレーカ２に内蔵されたＣＴや電圧測定部から出力されたリード線などを接続し、情報を収集する。なお、電流・電圧の測定はブレーカに内蔵するものに限らず、外部にＣＴを設置、電源側の端子部・負荷側の端子部から電圧を測定し、計測装置に接続するものでも良い。
【００３５】
（他の実施形態）
本実施形態に係る分電盤２０は、図６に示すように、壁取り付け用の分電盤であっても良い。
【００３６】
その他、図７に示すように、モニタ５を取り付けた分電盤２０の天井面もしくは底面にＡＥＤ装置収納用箱１０を搭載した電気機器収納用箱２１を取り付けて一体構造とし、分電盤２０からＡＥＤ装置収納用箱１０内の電気機器の電源を取ったり、通信回線をモニタ５に接続しＡＥＤ装置１０ａの情報を表示させることも可能である。この場合、通信回線や電線などは電気機器収納用箱２１を取り付けた天井面もしくは底面に配線穴を設けてモニタ５とＡＥＤ装置収納用箱１０の電気機器や、分電盤２０とＡＥＤ装置収納用箱１０の電気機器を接続した構造であっても良いし、扉体だけＡＥＤとモニタを別個に形成する構造であっても良い。
【００３７】
本発明は、分電盤に内部情報および外部情報を表示可能なモニタとＡＥＤ装置を内蔵したものであるが、分電盤と同様に、キュービクル（高電圧電線が引き込まれ、トランスや配線用遮断器に接続されており、トランスにより変圧し負荷などに分配されるものである。）、配電盤等に、内部情報および外部情報を表示可能なモニタとＡＥＤ装置を内蔵することもできる。その場合ＡＥＤ収納用箱１０に内蔵された電気機器の電源を主幹ブレーカ１、分岐ブレーカ２のほかにトランスなどからも電気的に接続することも可能となる。
【符号の説明】
【００３８】
１  主幹ブレーカ
２  分岐ブレーカ
３  測定手段
４  測定相切替え手段
５  モニタ
６  表示情報切替え手段
７  扉
８  穴部
９  凹部
１０  ＡＥＤ装置収納用箱
１０ａ  ＡＥＤ装置
１１  ＡＥＤ情報記憶手段
１２  外部情報記憶手段
１３  内部情報記憶手段
１４  小扉
１５  情報送信手段
１６  情報受信手段
２０  分電盤
２１  電気機器収納用箱
【図１】
2011217572.tif 000003
【図２】
2011217572.tif 000004
【図３】
2011217572.tif 000005
【図４】
2011217572.tif 000006
【図５】
2011217572.tif 000007
【図６】
2011217572.tif 000008
【図７】
2011217572.tif 000009